【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
第１表示領域に、複数の走査線と複数のデータ線との交差に対応して設けられ、各々は、前記走査線が選択されたときに前記データ線に供給されたデータ信号に応じた階調となる複数の第１画素と、
第２表示領域に、複数の行選択線と、複数のビット線との交差に対応して設けられ、各々は、１ビットを保持するメモリ回路を有し、前記メモリ回路に保持された１ビットの論理レベルが一方である場合にオン表示となる一方、前記論理レベルが他方である場合にオフ表示となる複数の第２画素と、
前記走査線および前記行選択線を選択するための走査線駆動回路であって、第１表示モードである場合に、少なくとも前記複数の走査線を選択する一方、第２表示モードである場合に、前記複数の走査線を選択しない走査線駆動回路と、
前記第１表示モードである場合、選択された走査線に対応する画素の階調に応じたデータ信号を、前記データ線に出力する一方、
前記第２表示モードである場合、選択された行選択線に対応する画素のオン表示またはオフ表示を指定するデータ信号を、前記ビット線に対応するデータ線に出力するデータ線駆動回路と、
を具備することを特徴とする電気光学装置。
【請求項２】
前記複数のビット線は、前記複数のデータ線の一部に対応して設けられることを特徴とする請求項１に記載の電気光学装置。
【請求項３】
前記複数のデータ線のうち一部に設けられるとともに、当該データ線に供給された論理信号を前記複数のビット線の一部であって指定された列のビット線に供給するデコーダを備えることを特徴とする請求項１に記載の電気光学装置。
【請求項４】
前記データ線駆動回路は、
選択された走査線に対応する画素の階調を指定するデータを、当該階調に応じた電圧に変換するＤ／Ａ変換回路を備え、
前記第２表示モードである場合に、前記Ｄ／Ａ変換回路による変換動作を停止させることを特徴とする請求項１乃至３のいずれか１項に記載の電気光学装置。
【請求項５】
前記第２表示領域に光を照射する光源を更に有し、
前記第２表示モードである場合に、前記光源による照射を停止させることを特徴とする請求項１乃至３のいずれか１項に記載の電気光学装置。
【請求項６】
前記第１画素は、前記走査線が選択されたときの論理レベルが一方または他方である場合に、オンするスイッチング素子を有し、
前記第２画素におけるメモリ回路は、前記行選択線が選択されたときの論理レベルが一方または他方である場合に、前記ビット線に供給されたデータ信号の論理レベルを保持し、
前記走査線の論理レベルの一方と他方との差である論理振幅は、前記行選択線の論理レベルの一方と他方との差である論理振幅よりも大きいことを特徴とする請求項１乃至３のいずれか１項に記載の電気光学装置。
【請求項７】
前記第２画素は、
前記メモリ回路に保持された１ビットの論理レベルが一方である場合に、前記コモン信号と同一論理のオフ信号を選択し、前記保持された１ビットの論理レベルが他方である場合に、前記オフ信号と論理反転の関係にあるオン信号を選択する選択回路と、
前記選択回路により選択されたオン信号またはオフ信号が印加される画素電極と、を備え、当該画素電極は、前記オフ信号と同一論理のコモン信号が印加されるコモン電極と対向することを特徴とする請求項６に記載の電気光学装置。
【請求項８】
前記コモン信号、前記オン信号および前記オフ信号は、前記行選択線の論理振幅と同一の低振幅幅であることを特徴とする請求項７に記載の電気光学装置。
【請求項９】
前記走査線駆動回路は、前記第２表示モードである場合に、前記メモリ回路に保持された１ビットのデータを書き換える第２画素に対応する行選択線を選択する、ことを特徴とする請求項１乃至３のいずれか１項に記載の電気光学装置。
【請求項１０】
前記複数のデータ線は、２以上の所定列数毎にブロック化され、各ブロックに属する１列のデータ線に、前記ビット線が１列対応し、
前記データ線駆動回路は、
前記第１表示モードにおいて、前記各ブロックに属する所定列数のデータ線を、順次選択する一方、前記第２表示モードにおいて、前記各ブロックに属する所定列数のデータ線のうち、前記ビット線に対応するデータ線を選択するデマルチプレクサを備える、ことを特徴とする請求項１乃至３のいずれか１項に記載の電気光学装置。
【請求項１１】
請求項１乃至１０のいずれか１項に記載の電気光学装置を備えることを特徴とする電子機器。
【手続補正２】
【補正対象書類名】明細書
【補正対象項目名】０００４
【補正方法】変更
【補正の内容】
【０００４】
上記課題を解決するために本発明に係る電気光学装置は、第１表示領域に、複数の走査線と複数のデータ線との交差に対応して設けられ、各々は、前記走査線が選択されたときに前記データ線に供給されたデータ信号に応じた階調となる複数の第１画素と、第２表示領域に、複数の行選択線と、複数のビット線との交差に対応して設けられ、各々は、１ビットを保持するメモリ回路を有し、前記メモリ回路に保持された１ビットの論理レベルが一方である場合にオン表示となる一方、前記論理レベルが他方である場合にオフ表示となる複数の第２画素と、前記走査線および前記行選択線を選択するための走査線駆動回路であって、第１表示モードである場合に、少なくとも前記複数の走査線を選択する一方、第２表示モードである場合に、前記複数の走査線を選択しない走査線駆動回路と、前記第１表示モードである場合、選択された走査線に対応する画素の階調に応じたデータ信号を、前記データ線に出力する一方、前記第２表示モードである場合、選択された行選択線に対応する画素のオン表示またはオフ表示を指定するデータ信号を、前記ビット線に対応するデータ線に出力するデータ線駆動回路と、を具備することを特徴とする。本発明によれば、第１表示モードとした場合には第１表示領域において高解像度な表示が可能となる一方、第２表示モードとした場合には少なくとも第２表示領域を用いた表示によって消費電力を抑えることが可能となる。
【手続補正３】
【補正対象書類名】明細書
【補正対象項目名】０００５
【補正方法】変更
【補正の内容】
【０００５】
本発明において、前記複数のビット線は、前記複数のデータ線の一部に対応して設けられる構成としてもよい。
本発明において、前記複数のデータ線のうち、一部に設けられるとともに、当該データ線に供給された論理信号を前記複数のビット線の一部であって指定された列のビット線に供給するデコーダを備える構成としてもよい。
本発明において、前記データ線駆動回路は、選択された走査線に対応する画素の階調を指定するデータを、当該階調に応じた電圧に変換するＤ／Ａ変換回路を備え、前記第２表示モードである場合に、前記Ｄ／Ａ変換回路による変換動作を停止させる構成としても良い。
本発明において、前記第２表示領域に光を照射する光源を有し、前記第２表示モードである場合に、前記光源による照射を停止させる構成としても良い。
また、本発明において、前記第１画素は、前記走査線が選択されたときの論理レベルが一方または他方である場合に、オンするスイッチング素子を有し、前記第２画素におけるメモリ回路は、前記行選択線が選択されたときの論理レベルが一方または他方である場合に、前記ビット線に供給されたデータ信号の論理レベルを保持し、前記走査線の論理レベルの一方と他方との差である論理振幅は、前記行選択線の論理レベルの一方と他方との差である論理振幅よりも大きい構成が好ましい。
この構成において、前記第２画素は、前記メモリ回路に保持された１ビットの論理レベルが一方である場合に、前記コモン信号と同一論理のオフ信号を選択し、前記保持された１ビットの論理レベルが他方である場合に、前記オフ信号と論理反転の関係にあるオン信号を選択する選択回路と、前記選択回路により選択されたオン信号またはオフ信号が印加される画素電極と、を備え、当該画素電極は、前記オフ信号と同一論理のコモン信号が印加されるコモン電極と対向しても良い。さらに、前記コモン信号、前記オン信号および前記オフ信号は、前記行選択線の論理振幅と同一の低振幅幅である構成が望ましい。
【手続補正４】
【補正対象書類名】明細書
【補正対象項目名】０００７
【補正方法】変更
【補正の内容】
【０００７】
なお、本発明は、電気光学装置のみならず、当該電気光学装置を有する電子機器としても概念することが可能である。